(57)【要約】【課題】作業者の負担を軽減できる調整おもりの取り出し方法を提供する。【解決手段】おもり枠１１に揚重装置を接続する。また、おもり枠１１の移動を案内するガイドレールに支持装置１９を取り付け、支持装置１９によって調整おもり１３を下方から支持する。揚重装置によっておもり枠１１を下方に移動させ、調整おもり１３を取り出し口の高さに合わせて配置する。調整おもり１３を取り出し口の高さに合わせて配置した後、調整おもり１３を取り出し口から取り出す。【選択図】図５
2019006581.tif 000002
【特許請求の範囲】
【請求項１】
エレベーターのおもり枠に支持された調整おもりを前記おもり枠に形成された取り出し口から取り出すための方法であって、
前記おもり枠に揚重装置を接続するステップと、
前記おもり枠の移動を案内する第１ガイドレールに支持装置を取り付け、前記支持装置によって前記調整おもりを下方から支持するステップと、
前記揚重装置によって前記おもり枠を下方に移動させ、前記調整おもりを前記取り出し口の高さに合わせて配置するステップと、
前記調整おもりを前記取り出し口の高さに合わせて配置した後、前記調整おもりを前記取り出し口から取り出すステップと、
を備えた調整おもりの取り出し方法。
【請求項２】
前記おもり枠に前記揚重装置を接続する前に、かごの移動を案内する第２ガイドレールに前記かごを固定するステップと、
前記おもり枠に前記揚重装置を接続した後、前記揚重装置によって前記おもり枠を上方に移動させるステップと、
を更に備え、
前記支持装置は、前記揚重装置によって前記おもり枠が上方に移動された後に前記第１ガイドレールに固定される請求項１に記載の調整おもりの取り出し方法。
【請求項３】
前記おもり枠に前記揚重装置を接続した後、前記おもり枠に接続された主ロープを前記おもり枠から外すステップを更に備えた請求項１又は請求項２に記載の調整おもりの取り出し方法。
【請求項４】
エレベーターのおもり枠に支持された調整おもりを下方から支持するための装置であって、
固定部材と、
前記おもり枠の移動を案内するガイドレールに前記固定部材を用いて固定される支持部材と、
を備え、
前記支持部材は、
前記ガイドレールの背面に対向するように前記ガイドレールに固定される固定部と、
前記固定部が前記ガイドレールに固定されると、前記調整おもりの直下に配置される支持部と、
を備え、
前記おもり枠が下方に移動すると、前記支持部は、前記おもり枠に接触することなく前記調整おもりに下方から接触する調整おもりの支持装置。
【請求項５】
エレベーターのおもり枠に支持された調整おもりを下方から支持するための装置であって、
第１固定部材と、
前記おもり枠の移動を案内するガイドレールに前記第１固定部材を用いて固定される第１支持部材と、
第２固定部材と、
前記ガイドレールに前記第２固定部材を用いて固定される第２支持部材と、
を備え、
前記第１支持部材は、
前記ガイドレールの背面に対向するように前記ガイドレールに固定される第１固定部と、
前記第１固定部が前記ガイドレールに固定されると、前記おもり枠の一側で前記調整おもりの直下に配置される第１支持部と、
を備え、
前記第２支持部材は、
前記ガイドレールの背面に対向し且つ前記第１固定部に対向するように前記ガイドレールに固定される第２固定部と、
前記第２固定部が前記ガイドレールに固定されると、前記おもり枠の他側で前記調整おもりの直下に配置される第２支持部と、
を備え、
前記おもり枠が下方に移動すると、前記第１支持部及び前記第２支持部は、前記おもり枠に接触することなく前記調整おもりに下方から接触する調整おもりの支持装置。
【請求項６】
前記第２固定部は、下向きの端面が前記第１固定部の上向きの端面に対向するように前記ガイドレールに固定される請求項５に記載の調整おもりの支持装置。
【発明の詳細な説明】
【技術分野】
【０００１】
この発明は、エレベーターのつり合いおもりに備えられた調整おもりをおもり枠から取り出すための方法と、調整おもりを支持するための装置とに関する。
【背景技術】
【０００２】
特許文献１に、エレベーターのつり合いおもりが記載されている。特許文献１に記載されたつり合いおもりは、主ロープによって昇降路に吊り下げられる。つり合いおもりは、おもり枠と多数の調整おもりとを備える。主ロープは、おもり枠に接続される。調整おもりは、おもり枠に支持される。
【先行技術文献】
【特許文献】
【０００３】
【特許文献１】特開２００１−２５３６６７号公報
【発明の概要】
【発明が解決しようとする課題】
【０００４】
エレベーターの工事では、調整おもりをおもり枠から取り出す作業が必要になることがある。例えば、つり合いおもりを交換する工事では、撤去するつり合いおもりを軽くするために一部の調整おもりがおもり枠から取り出される。また、既設のつり合いおもりに補強部材を取り付ける工事では、補強部材を取り付けるスペースを確保するために一部の調整おもりがおもり枠から取り出される。
【０００５】
調整おもりをおもり枠から取り出すためには、おもり枠に形成された取り出し口の高さまで調整おもりを持ち上げる必要がある。また、調整おもりを持ち上げた後、調整おもりをおもり枠から外すために調整おもりを横に移動させなければならない。調整おもりをおもり枠から取り出す際に、作業者の負担が大きいといった問題があった。
【０００６】
この発明は、上述のような課題を解決するためになされた。この発明の目的は、作業者の負担を軽減できる調整おもりの取り出し方法を提供することである。この発明の他の目的は、調整おもりをおもり枠から取り出す作業者の負担を軽減できる調整おもりの支持装置を提供することである。
【課題を解決するための手段】
【０００７】
この発明に係る調整おもりの取り出し方法は、おもり枠に揚重装置を接続するステップと、おもり枠の移動を案内する第１ガイドレールに支持装置を取り付け、支持装置によって調整おもりを下方から支持するステップと、揚重装置によっておもり枠を下方に移動させ、調整おもりを取り出し口の高さに合わせて配置するステップと、調整おもりを取り出し口の高さに合わせて配置した後、調整おもりを取り出し口から取り出すステップと、を備える。
【０００８】
この発明に係る調整おもりの支持装置は、固定部材と、おもり枠の移動を案内するガイドレールに固定部材を用いて固定される支持部材と、を備える。支持部材は、ガイドレールの背面に対向するようにガイドレールに固定される固定部と、固定部がガイドレールに固定されると、調整おもりの直下に配置される支持部と、を備える。おもり枠が下方に移動すると、支持部は、おもり枠に接触することなく調整おもりに下方から接触する。
【０００９】
この発明に係る調整おもりの支持装置は、第１固定部材と、おもり枠の移動を案内するガイドレールに第１固定部材を用いて固定される第１支持部材と、第２固定部材と、ガイドレールに第２固定部材を用いて固定される第２支持部材と、を備える。第１支持部材は、ガイドレールの背面に対向するようにガイドレールに固定される第１固定部と、第１固定部がガイドレールに固定されると、おもり枠の一側で調整おもりの直下に配置される第１支持部と、を備える。第２支持部材は、ガイドレールの背面に対向し且つ第１固定部に対向するようにガイドレールに固定される第２固定部と、第２固定部がガイドレールに固定されると、おもり枠の他側で調整おもりの直下に配置される第２支持部と、を備える。おもり枠が下方に移動すると、第１支持部及び第２支持部は、おもり枠に接触することなく調整おもりに下方から接触する。
【発明の効果】
【００１０】
この発明によれば、調整おもりをおもり枠から取り出す作業者の負担を軽減できる。
【図面の簡単な説明】
【００１１】
【図１】エレベーター装置の例を示す図である。
【図２】つり合いおもりの例を示す正面図である。
【図３】つり合いおもりの例を示す側面図である。
【図４】図２のＡ−Ａ断面を示す図である。
【図５】この発明の実施の形態１における調整おもりの取り出し方法を示すフローチャートである。
【図６】つり合いおもりをチェーンブロックで吊り下げた状態を示す図である。
【図７】つり合いおもりがチェーンブロックによって引き上げられた状態を示す図である。
【図８】支持装置がつり合いおもり用のガイドレールに取り付けられた状態を示す正面図である。
【図９】図８のＤ−Ｄ断面を示す図である。
【図１０】支持部材の例を示す図である。
【図１１】調整おもりが取り出し口の高さに配置された状態を示す図である。
【図１２】支持部材の他の例を示す図である。
【発明を実施するための形態】
【００１２】
添付の図面を参照し、本発明を説明する。重複する説明は、適宜簡略化或いは省略する。各図において、同一の符号は同一の部分又は相当する部分を示す。
【００１３】
実施の形態１．
先ず、図１から図４を参照し、エレベーター装置について説明する。図１は、エレベーター装置の例を示す図である。エレベーター装置は、例えばかご１及びつり合いおもり２を備える。かご１は、昇降路３を上下に移動する。つり合いおもり２は、昇降路３を上下に移動する。かご１及びつり合いおもり２は、主ロープ４によって昇降路３に吊り下げられる。主ロープ４は、巻上機５の駆動綱車６に巻き掛けられる。巻上機５は、制御装置７によって制御される。図１は、巻上機５及び制御装置７が機械室８に設けられる例を示す。巻上機５及び制御装置７は、昇降路３に設けられても良い。
【００１４】
駆動綱車６が回転すると、駆動綱車６の回転方向に応じた方向に主ロープ４が移動する。主ロープ４が移動する方向に応じてかご１は上昇或いは下降する。かご１の移動は、ガイドレール９ａ及びガイドレール９ｂによって案内される。かご１は、ガイドレール９ａ及びガイドレール９ｂの間に配置される。同様に、主ロープ４が移動する方向に応じてつり合いおもり２は下降或いは上昇する。つり合いおもり２の移動は、ガイドレール１０ａ及びガイドレール１０ｂによって案内される。つり合いおもり２は、ガイドレール１０ａ及びガイドレール１０ｂの間に配置される。
【００１５】
図２は、つり合いおもり２の例を示す正面図である。図３は、つり合いおもり２の例を示す側面図である。図４は、図２のＡ−Ａ断面を示す図である。つり合いおもり２は、例えばおもり枠１１、ガイドローラ１２ａ〜１２ｄ、及び調整おもり１３を備える。図３では、ガイドレール１０ａ及びガイドレール１０ｂの記載とガイドローラ１２ａ〜１２ｄの記載とを省略している。
【００１６】
おもり枠１１は、全体として四角環状である。おもり枠１１は、例えば柱１４、柱１５、上枠１６、及び下枠１７を備える。上枠１６は、柱１４の上端部と柱１５の上端部との間に設けられる。下枠１７は、柱１４の下端部と柱１５の下端部との間に設けられる。柱１４は、断面がコ字状の棒状部材である。柱１５は、断面がコ字状の棒状部材である。柱１４と柱１５とは、コ字状の口の部分が互いに向き合うように平行に配置される。上枠１６は、断面がコ字状の棒状部材である。上枠１６は、コ字状の口の部分が下を向くように配置される。下枠１７は、断面がコ字状の棒状部材である。下枠１７は、コ字状の口の部分が上を向くように配置される。上枠１６と下枠１７とは、コ字状の口の部分が互いに向き合うように平行に配置される。
【００１７】
おもり枠１１に、ガイドローラ１２ａ〜１２ｄが設けられる。ガイドローラ１２ａは、上枠１６の上面に設けられる。ガイドローラ１２ｂは、下枠１７の下面に設けられる。ガイドローラ１２ａ及びガイドローラ１２ｂは、ガイドレール１０ａに接触する。ガイドローラ１２ｃは、上枠１６の上面に設けられる。ガイドローラ１２ｄは、下枠１７の下面に設けられる。ガイドローラ１２ｃ及びガイドローラ１２ｄは、ガイドレール１０ｂに接触する。おもり枠１１は、ガイドレール１０ａ及びガイドレール１０ｂによってその移動が案内される。
【００１８】
調整おもり１３は、つり合いおもり２の全体の重量を調整するためのおもりである。つり合いおもり２は、多数の調整おもり１３を備える。調整おもり１３は、おもり枠１１によって支持される。図４に示すように、調整おもり１３は、中央部の縦幅Ｗ１より端部の縦幅Ｗ２の方が小さい。調整おもり１３の一方の端部１３ａは、柱１４の内側に形成された空間に配置される。調整おもり１３のもう一方の端部１３ｂは、柱１５の内側に形成された空間に配置される。これにより、調整おもり１３はおもり枠１１によって保持される。
【００１９】
調整おもり１３は、下枠１７の上に積み重ねられる。調整おもり１３の中央部の縦幅Ｗ１は、下枠１７の縦幅Ｗ３より大きい。このため、調整おもり１３の中央部の縁１３ｃ及び縁１３ｄの直下に、下枠１７は配置されない。調整おもり１３の中央部は、下枠１７より図３の矢印Ｂに示す方向に突出する。同様に、調整おもり１３の中央部は、下枠１７より図３の矢印Ｃに示す方向に突出する。
【００２０】
おもり枠１１に、調整おもり１３を出し入れするための取り出し口が形成される。本実施の形態に示す例では、柱１４に形成された切り欠き１４ａ及び柱１５に形成された切り欠き１５ａが取り出し口に相当する。切り欠き１４ａ及び切り欠き１５ａは、同じ高さに配置される。調整おもり１３をおもり枠１１に取り付けるためには、調整おもり１３の端部１３ａを、切り欠き１４ａから柱１４の内側に形成された空間に配置する。同様に、調整おもり１３の端部１３ｂを、切り欠き１５ａから柱１５の内側に形成された空間に配置する。その後に、調整おもり１３を下方に移動させ、調整おもり１３を上枠１６の上、或いは上枠１６に積み上げられた調整おもり１３の上に載せる。
【００２１】
一方、調整おもり１３をおもり枠１１から取り出すためには、先ず、調整おもり１３を切り欠き１４ａ及び切り欠き１５ａの高さに合わせて配置する。その後に、調整おもり１３の端部１３ａを、切り欠き１４ａから柱１４の外側に引き出す。同様に、調整おもり１３の端部１３ｂを、切り欠き１５ａから柱１５の外側に引き出す。
【００２２】
次に、調整おもり１３をおもり枠１１から取り出す方法について詳しく説明する。図５は、この発明の実施の形態１における調整おもり１３の取り出し方法を示すフローチャートである。例えば、つり合いおもり２を交換する場合に、調整おもり１３を取り出す作業が行われる。他の例として、おもり枠１１のための補強部材を既設のつり合いおもり２に取り付ける場合に、調整おもり１３を取り出す作業が行われる。
【００２３】
例えば、作業者は、かご１をガイドレール９ａ及びガイドレール９ｂに固定する（Ｓ１０１）。かご１は、非常止め１ａを備える。作業者は、非常止め１ａを動作させることによって、かご１をガイドレール９ａ及びガイドレール９ｂに固定しても良い。
【００２４】
次に、作業者は、つり合いおもり２にチェーンブロック１８を接続する（Ｓ１０２）。図６は、つり合いおもり２をチェーンブロック１８で吊り下げた状態を示す図である。例えば、チェーンブロック１８は、おもり枠１１の上枠１６に接続される。チェーンブロック１８は、揚重装置の一例である。
【００２５】
次に、作業者は、チェーンブロック１８によってつり合いおもり２を引き上げ、つり合いおもり２をガイドレール１０ａ及びガイドレール１０ｂに沿って上方に移動させる（Ｓ１０３）。上述したように、かご１はガイドレール９ａ及びガイドレール９ｂに固定されている。このため、Ｓ１０３でつり合いおもり２が上方に移動しても、かご１は下方に移動しない。つり合いおもり２が上方に移動すると、主ロープ４が弛む。図７は、つり合いおもり２がチェーンブロック１８によって引き上げられた状態を示す図である。
【００２６】
次に、作業員は、つり合いおもり２用のガイドレールに支持装置１９を取り付ける（Ｓ１０４）。図８は、支持装置１９がつり合いおもり２用のガイドレールに取り付けられた状態を示す正面図である。本実施の形態に示す例において、つり合いおもり２用のガイドレールは、ガイドレール１０ａ及びガイドレール１０ｂである。図８は、図２に相当する。図９は、図８のＤ−Ｄ断面を示す図である。図９は、図４に相当する。
【００２７】
図８及び図９に示す例では、２つの支持装置１９がガイドレール１０ａに取り付けられる。また、２つの支持装置１９がガイドレール１０ｂに取り付けられる。以下においては、支持装置１９及び支持装置１９が備える要素を個別に特定する必要がある場合、ハイフンの後に１から４を付す。例えば、支持装置１９−１及び支持装置１９−２は、ガイドレール１０ａに取り付けられる。支持装置１９−３及び支持装置１９−４は、ガイドレール１０ｂに取り付けられる。なお、全ての支持装置に共通する事項を説明する場合は、例えば支持装置１９と表記する。
【００２８】
支持装置１９は、調整おもり１３を下方から支持するための装置である。Ｓ１０４において支持装置１９がつり合いおもり２用のガイドレールに取り付けられることにより、調整おもり１３は支持装置１９によって下方から支持される。一方、おもり枠１１は、支持装置１９によって支持されない。
【００２９】
支持装置１９は、例えば固定部材２０、及び支持部材２１を備える。例えば、支持装置１９−１は、固定部材２０−１、及び支持部材２１−１を備える。支持部材２１は、調整おもり１３を下方から支持するための部材である。固定部材２０は、支持部材２１をつり合いおもり２用のガイドレールに固定するための部材である。支持部材２１−１は、固定部材２０−１を用いてガイドレール１０ａに固定される。支持部材２１−２は、固定部材２０−２を用いてガイドレール１０ａに固定される。支持部材２１−３は、固定部材２０−３を用いてガイドレール１０ｂに固定される。支持部材２１−４は、固定部材２０−４を用いてガイドレール１０ｂに固定される。図９は、固定部材２０がレールクリップ２２、ボルト２３、及びナット２４を備える例を示す。例えば、固定部材２０−１は、レールクリップ２２−１、ボルト２３−１、及びナット２４−１を備える。
【００３０】
図１０は、支持部材２１の例を示す図である。図１０は、ガイドレール１０ａに固定される支持部材２１−１及び支持部材２１−２を示す。支持部材２１は、例えば固定部２５、腕部２６、及び支持部２７を備える。固定部２５は、つり合いおもり２用のガイドレールに固定される部分である。固定部２５に、ボルト２３を通すための長孔２８が形成される。例えば、固定部２５−１に、貫通孔２８−１が形成される。固定部２５−１は、ガイドレール１０ａの背面に対向するように配置され、固定部材２０−１を用いてガイドレール１０ａに固定される。固定部２５−２に、貫通孔２８−２が形成される。固定部２５−２は、ガイドレール１０ａの背面に対向するように配置され、固定部材２０−２を用いてガイドレール１０ａに固定される。固定部２５−２は、例えば固定部２５−１と同じ高さに配置される。また、固定部２５−２は、固定部２５−１に対向するように配置される。
【００３１】
支持部２７は、調整おもり１３を支持する部分である。支持部２７は、固定部２５がつり合いおもり２用のガイドレールに固定されると、調整おもり１３の直下に配置される。例えば、支持部２７−１は、固定部２５−１がガイドレール１０ａに固定されると、おもり枠１１の一側で調整おもり１３の直下に配置される。例えば、支持部２７−１は、調整おもり１３の縁１３ｃの直下を通過するように配置される。支持部２７−１は、おもり枠１１の直下に配置されない。支持部２７−２は、固定部２５−２がガイドレール１０ａに固定されると、おもり枠１１の他側で調整おもり１３の直下に配置される。例えば、支持部２７−２は、調整おもり１３の縁１３ｄの直下を通過するように配置される。支持部２７−２は、おもり枠１１の直下に配置されない。
【００３２】
腕部２６は、固定部２５と支持部２７とを繋ぐ部分である。例えば、腕部２６−１は、固定部２５−１と支持部２７−１との間に設けられる。腕部２６−１は、固定部２５−１がガイドレール１０ａに固定されると、ガイドレール１０ａの一側を通過するように配置される。腕部２６−２は、固定部２５−２と支持部２７−２との間に設けられる。腕部２６−２は、固定部２５−２がガイドレール１０ａに固定されると、ガイドレール１０ａの他側を通過するように配置される。
【００３３】
作業者は、支持装置１９をつり合いおもり２用のガイドレールに取り付けると、チェーンブロック１８によっておもり枠１１を下方に移動させる。おもり枠１１が下方に移動すると、支持装置１９の支持部２７が調整おもり１３に下方から接触する。この時、支持部２７は、おもり枠１１に接触しない。支持装置１９の支持部２７が調整おもり１３に接触すると、その後は、おもり枠１１が下方に移動しても調整おもり１３は下方に移動しない。調整おもり１３は、おもり枠１１に対して相対的に上方に移動する。作業者は、チェーンブロック１８によっておもり枠１１を下方に移動させることにより、おもり枠１１の内側で一番上に配置された調整おもり１３を、切り欠き１４ａ及び切り欠き１５ａの高さに合わせて配置する（Ｓ１０５）。
【００３４】
図１１は、調整おもり１３が取り出し口の高さに配置された状態を示す図である。作業員は、調整おもり１３を図１１に示す状態に配置すると、一番上の調整おもり１３を切り欠き１４ａ及び切り欠き１５ａから取り出す（Ｓ１０６）。作業者は、おもり枠１１から外す必要がある調整おもり１３を全て外し終えるまで、Ｓ１０５の動作とＳ１０６の動作とを繰り返し行う（Ｓ１０７のＮｏ）。作業者は、おもり枠１１から外す必要がある調整おもり１３を全て外し終えると、調整おもり１３の取り出し作業を終了する（Ｓ１０７のＹｅｓ）。
【００３５】
本実施の形態に示す例であれば、作業者は、取り出し口の高さに調整おもり１３を配置する作業を、チェーンブロック１８を操作することによって行うことができる。作業者は、おもり枠１１に形成された取り出し口の高さまで調整おもり１３を自力で持ち上げる必要はない。このため、作業者の負担を軽減できる。
【００３６】
本実施の形態では、主ロープ４がおもり枠１１に接続されたまま、調整おもり１３の取り出し作業を行う例について説明した。これは一例である。例えば、つり合いおもり２を交換するために調整おもり１３の取り出し作業を行う場合は、つり合いおもり２にチェーンブロック１８を接続した直後に、主ロープ４をおもり枠１１から外しても良い。この例であれば、Ｓ１０５でおもり枠１１を下げる時、及びＳ１０６で調整おもり１３を取り出す時に、弛んだ主ロープ４が作業の邪魔になることがない。
【００３７】
図１２は、支持部材２１の他の例を示す図である。図１２は、ガイドレール１０ａに固定される支持部材２１−１及び支持部材２１−２を示す。図１２に示す例では、固定部２５−２は、固定部２５−１の上方に配置されるようにガイドレール１０ａに固定される。固定部２５−１及び固定部２５−２がガイドレール１０ａに固定されると、固定部２５−２の下向きの端面が固定部２５−１の上向きの端面に対向する。固定部２５−１の矢印Ｃに示す方向を向く端面は、固定部２５−２の矢印Ｂに示す方向を向く端面に対向する。図１２に示す例であれば、例えば支持部材２１に調整おもり１３が上方から衝突した時等に支持部材２１がずれてしまうことを更に防止できる。
【符号の説明】
【００３８】
１  かご、  １ａ  非常止め、  ２  つり合いおもり、  ３  昇降路、  ４  主ロープ、  ５  巻上機、  ６  駆動綱車、  ７  制御装置、  ８  機械室、  ９ａ〜９ｂ  ガイドレール、  １０ａ〜１０ｂ  ガイドレール、  １１  おもり枠、  １２ａ〜１２ｄ  ガイドローラ、  １３  調整おもり、  １３ａ〜１３ｂ  端部、  １３ｃ〜１３ｄ  縁、  １４  柱、  １４ａ  切り欠き、  １５  柱、  １５ａ  切り欠き、  １６  上枠、  １７  下枠、  １８  チェーンブロック、  １９  支持装置、  ２０  固定部材、  ２１  支持部材、  ２２  レールクリップ、  ２３  ボルト、  ２４  ナット、  ２５  固定部、  ２６  腕部、  ２７  支持部、  ２８  長孔
【図１】
2019006581.tif 000003
【図２】
2019006581.tif 000004
【図３】
2019006581.tif 000005
【図４】
2019006581.tif 000006
【図５】
2019006581.tif 000007
【図６】
2019006581.tif 000008
【図７】
2019006581.tif 000009
【図８】
2019006581.tif 000010
【図９】
2019006581.tif 000011
【図１０】
2019006581.tif 000012
【図１１】
2019006581.tif 000013
【図１２】
2019006581.tif 000014